(57)【要約】【課題】共有されるコンテンツの提供者と利用者との間の双方向的なコミュニケーションによって、コンテンツの共有による提供者または利用者の便益をより高める。【解決手段】撮像画像を取得する画像取得部と、上記撮像画像を共有画像として送信する画像送信部と、上記共有画像に対する応答として取得される、撮像を実行するユーザの動作に関する指示情報を受信する指示情報受信部と、上記指示情報を上記ユーザに対して出力する指示情報出力部とを含む情報処理装置が提供される。【選択図】図１
2014021031.tif 000002
【特許請求の範囲】
【請求項１】
撮像画像を取得する画像取得部と、
前記撮像画像を共有画像として送信する画像送信部と、
前記共有画像に対する応答として取得される、撮像を実行するユーザの動作に関する指示情報を受信する指示情報受信部と、
前記指示情報を前記ユーザに対して出力する指示情報出力部と
を備える情報処理装置。
【請求項２】
前記指示情報受信部は、前記ユーザの前記撮像のための動作に関する指示情報を受信する、請求項１に記載の情報処理装置。
【請求項３】
前記指示情報受信部は、前記ユーザに前記撮像のタイミングを指示する指示情報を受信する、請求項２に記載の情報処理装置。
【請求項４】
前記共有画像の共有者の条件を示す共有条件情報を生成する条件情報生成部をさらに備え、
前記画像送信部は、前記共有条件情報を前記共有画像と共に送信する、請求項１に記載の情報処理装置。
【請求項５】
前記ユーザの位置の情報を取得する位置情報取得部をさらに備え、
前記条件情報生成部は、前記ユーザの位置に基づいて前記共有条件情報を生成する、請求項４に記載の情報処理装置。
【請求項６】
前記条件情報生成部は、前記ユーザの位置を含む地域との関連を前記共有者の条件として設定する、請求項５に記載の情報処理装置。
【請求項７】
前記条件情報生成部は、前記ユーザの設定操作に基づいて前記共有条件情報を生成する、請求項４に記載の情報処理装置。
【請求項８】
前記条件情報生成部は、ソーシャルネットワークサービスにおける前記ユーザとの友人関係を前記共有者の条件として設定する、請求項７に記載の情報処理装置。
【請求項９】
前記ユーザの位置の情報を取得する位置情報取得部をさらに備え、
前記画像送信部は、前記位置の情報を前記共有画像とともに送信する、請求項１に記載の情報処理装置。
【請求項１０】
前記ユーザが前記撮像画像の記録の準備状態にあるか否かを判定する撮像準備状態判定部をさらに備え、
前記画像取得部は、さらに、前記撮像画像の記録の前後に取得されるスルー画像を取得し、
前記画像送信部は、前記ユーザが前記撮像画像の記録の準備状態にある場合に、前記スルー画像を前記共有画像として送信する、請求項１に記載の情報処理装置。
【請求項１１】
前記共有画像の送信、または前記送信された共有画像の公開に対する前記ユーザの許可を取得する許可取得部をさらに備える、請求項１に記載の情報処理装置。
【請求項１２】
前記許可取得部は、前記送信された共有画像の共有者からの要求に応答して、前記ユーザの許可を取得する、請求項１１に記載の情報処理装置。
【請求項１３】
前記許可取得部は、前記共有者からの前記共有画像のサイズ変更の要求に応答して、前記ユーザの許可を取得する、請求項１２に記載の情報処理装置。
【請求項１４】
前記ユーザの位置の情報を取得する位置情報取得部をさらに備え、
前記許可取得部は、前記ユーザの位置が所定の条件を満たす場合に、前記ユーザの許可を取得する、請求項１１に記載の情報処理装置。
【請求項１５】
前記撮像された画像に付随する音声を取得する音声取得部と、
前記音声を共有音声として送信する音声送信部と、
前記共有画像および前記共有音声の送信、または前記送信された共有画像および共有音声の公開に対する前記ユーザの許可を、前記共有画像および前記共有音声のそれぞれについて独立して取得する許可取得部と
をさらに備える、請求項１に記載の情報処理装置。
【請求項１６】
前記ユーザは、該ユーザの視界画像を取得する撮像装置を用いて前記撮像を実行し、
前記指示情報受信部は、前記ユーザまたは前記ユーザの視界を移動させるための動作に関する指示情報を受信する、請求項１に記載の情報処理装置。
【請求項１７】
前記画像取得部は、前記ユーザを含まない前記撮像画像を取得する、請求項１に記載の情報処理装置。
【請求項１８】
撮像画像を取得することと、
前記撮像画像を共有画像として送信することと、
前記共有画像に対する応答として取得される、撮像を実行するユーザの動作に関する指示情報を受信することと、
前記指示情報を前記ユーザに対して出力することと
を含む情報処理方法。
【請求項１９】
撮像画像を取得する機能と、
前記撮像画像を共有画像として送信する機能と、
前記共有画像に対する応答として取得される、撮像を実行するユーザの動作に関する指示情報を受信する機能と、
前記指示情報を前記ユーザに対して出力する機能と
をコンピュータに実現させるためのプログラム。
【発明の詳細な説明】
【技術分野】
【０００１】
本開示は、情報処理装置、情報処理方法およびプログラムに関する。
【背景技術】
【０００２】
画像などのコンテンツのデジタル化や、デジタル化されたコンテンツを蓄積する記憶装置の大容量化、コンテンツのデータを伝送する通信技術の進歩によって、ネットワークを経由してコンテンツを共有することが一般的になっている。例えば、特許文献１には、ユーザが動画データを動画共有サーバにアップロードする際に用いられる技術が記載されている。また、特許文献２には、リアルタイムに収集された情報をコンテンツサーバにアップロードし、これをエンドユーザからの要求に応じて配信する技術が記載されている。
【先行技術文献】
【特許文献】
【０００３】
【特許文献１】特開２００９−２８２７３４号公報
【特許文献２】特開２００９−２７７０３号公報
【発明の概要】
【発明が解決しようとする課題】
【０００４】
しかし、上記のようなコンテンツ共有のための技術では、コンテンツのデータが提供者から利用者へと一方的に提供されるだけであった。共有されたコンテンツに対して利用者が感想などを送信することはあるものの、その情報はコンテンツの提供者に向けられたものではなく、共有されたコンテンツに付随する情報にすぎなかった。【０００５】
そこで、本開示では、共有されるコンテンツの提供者と利用者との間の双方向的なコミュニケーションによって、コンテンツの共有による提供者または利用者の便益をより高めることが可能な、新規かつ改良された情報処理装置、情報処理方法およびプログラムを提案する。
【課題を解決するための手段】
【０００６】
本開示によれば、撮像画像を取得する画像取得部と、上記撮像画像を共有画像として送信する画像送信部と、上記共有画像に対する応答として取得される、撮像を実行するユーザの動作に関する指示情報を受信する指示情報受信部と、上記指示情報を上記ユーザに対して出力する指示情報出力部とを含む情報処理装置が提供される。【０００７】
また、本開示によれば、撮像画像を取得することと、上記撮像画像を共有画像として送信することと、上記共有画像に対する応答として取得される、撮像を実行するユーザの動作に関する指示情報を受信することと、上記指示情報を上記ユーザに対して出力することとを含む情報処理方法が提供される。【０００８】
また、本開示によれば、撮像画像を取得する機能と、上記撮像画像を共有画像として送信する機能と、上記共有画像に対する応答として取得される、撮像を実行するユーザの動作に関する指示情報を受信する機能と、上記指示情報を上記ユーザに対して出力する機能とをコンピュータに実現させるためのプログラムが提供される。【０００９】
撮像画像を共有画像として送信するだけではなく、共有画像に対する応答として取得される指示情報を受信して出力することによって、撮像を実行するユーザの動作に、共有画像を参照したユーザからの指示、要望、またはアドバイスといったような情報を反映させることが可能になる。
【発明の効果】
【００１０】
以上説明したように本開示によれば、共有されるコンテンツの提供者と利用者との間の双方向的なコミュニケーションによって、コンテンツの共有による提供者または利用者の便益をより高めることができる。
【図面の簡単な説明】
【００１１】
【図１】本開示の第１の実施形態に係るシステムの概略的な構成を示す図である。
【図２】本開示の第１の実施形態に係るコンテンツ提供端末の概略的な機能構成を示すブロック図である。
【図３】本開示の第２の実施形態に係るコンテンツ提供端末のうち、位置情報取得部に関する部分の概略的な機能構成を示すブロック図である。
【図４】本開示の第３の実施形態に係るコンテンツ提供端末のうち、条件情報生成部に関する部分の概略的な機能構成を示すブロック図である。
【図５】本開示の第４の実施形態に係るコンテンツ提供端末のうち、条件情報生成部に関する部分の概略的な機能構成を示すブロック図である。
【図６】本開示の第５の実施形態に係るコンテンツ提供端末のうち、撮像準備状態判定部に関する部分の概略的な機能構成を示すブロック図である。
【図７】本開示の第６の実施形態に係るコンテンツ提供端末のうち、許可取得部に関する部分の概略的な機能構成を示すブロック図である。
【図８】本開示の第７の実施形態に係るコンテンツ提供端末のうち、許可取得部に関する部分の概略的な機能構成を示すブロック図である。
【図９】本開示の第７の実施形態において、ユーザの位置が自宅に近い場合には共有画像の送信または公開にユーザの許可を必要とする例を示すフローチャートである。
【図１０】本開示の第８の実施形態に係るコンテンツ提供端末のうち、許可取得部に関する部分の概略的な機能構成を示すブロック図である。
【図１１】撮像画像の共有がコンテンツの提供者からリクエストされる場合のコンテンツ提供端末の表示例を示す図である。
【図１２】図１１の例において、撮像画像の共有にあたって共有者の条件を選択するときの表示例を示す図である。
【図１３】図１２の例において、ＳＮＳの友人と撮像画像を共有した場合の表示例を示す図である。
【図１４】図１３の例における、コンテンツ参照端末での表示例を示す図である。
【図１５】図１３および図１４の例において、コンテンツ参照端末で撮像が実行された場合の、コンテンツ提供端末での表示例を示す図である。
【図１６】図１２の例において、現在地の近傍のユーザ、または撮影アドバイザーと撮像画像を共有する場合の、コンテンツ参照端末での表示例を示す図である。
【図１７】図１２および図１６の例において、現在地の近傍のユーザと撮像画像を共有した場合の、コンテンツ提供端末の表示例を示す図である。
【図１８】図１２および図１６の例において、撮影アドバイザーと撮像画像を共有した場合の、コンテンツ提供端末の表示例を示す図である。
【図１９】図１８の例において、撮影アドバイザーから撮影タイミングが示された場合の、コンテンツ提供端末の表示例を示す図である。
【図２０】撮像画像の共有がコンテンツの参照者からリクエストされる場合のコンテンツ参照端末の表示例を示す図である。
【図２１】図２０の例において、コンテンツ参照端末のユーザによって撮像画像の共有がリクエストされた場合の、コンテンツ提供端末での表示例を示す図である。
【図２２】撮像画像の共有がコンテンツの参照者からリクエストされる場合のコンテンツ参照端末の別の表示例を示す図である。
【図２３】図２２の例において、コンテンツ参照端末のユーザによって共有画像の拡大表示がリクエストされた場合の、コンテンツ提供端末での表示例を示す図である。
【図２４】撮像画像の画像と音声とについて、互いに独立して共有の許可を設定することが可能である場合の、コンテンツ提供端末の表示例を示す図である。
【図２５】撮像画像の共有によって、コンテンツ提供端末のユーザの視界を移動させるための指示情報が取得される場合の表示例を示す図である。
【図２６】情報処理装置のハードウェア構成を説明するためのブロック図である。
【発明を実施するための形態】
【００１２】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１３】
なお、説明は以下の順序で行うものとする。
１．第１の実施形態
２．第２の実施形態
３．第３の実施形態
４．第４の実施形態
５．第５の実施形態
６．第６の実施形態
７．第７の実施形態
８．第８の実施形態
９．提供者からリクエストがある場合の表示例
−ＳＮＳの友人との共有の例
−友人以外との共有の例
１０．参照者からのリクエストによる表示例
１１．その他の表示例
１２．ハードウェア構成
１３．補足
【００１４】
（１．第１の実施形態）
まず、図１および図２を参照して、本開示の第１の実施形態について説明する。
【００１５】
図１は、本開示の第１の実施形態に係るシステムの概略的な構成を示す図である。図１を参照すると、システム１０は、コンテンツ提供端末１００と、サーバ２００と、コンテンツ参照端末３００とを含む。
【００１６】
システム１０では、コンテンツ提供端末１００で取得された画像（Ｉｍｇ）が、サーバ２００にアップロードされる。コンテンツ参照端末３００では、サーバ２００にアクセスすることによって、アップロードされた画像（Ｉｍｇ）を参照することが可能である。画像（Ｉｍｇ）を参照するコンテンツ参照端末３００は、複数であってもよい。図では、３つのコンテンツ参照端末３００ａ，３００ｂ，３００ｃが例示されているが、数はこれに限られない。
【００１７】
また、システム１０では、画像（Ｉｍｇ）を参照したコンテンツ参照端末３００のユーザによって、応答として指示情報（Ｉｓｔｒ）が入力され、サーバ２００を介してコンテンツ提供端末１００に送信される。図示された例では、コンテンツ参照端末３００ａから指示情報（Ｉｓｔｒ＿ａ）が、コンテンツ参照端末３００ｃから指示情報（Ｉｓｔｒ＿ｃ）が送信され、コンテンツ提供端末１００がこれらの指示情報（Ｉｓｔｒ＿ａ，Ｉｓｔｒ＿ｃ）を受信する。
【００１８】
ここで、指示情報（Ｉｓｔｒ）は、コンテンツ提供端末１００を用いて撮像を実行しているユーザの動作に関する指示を含みうる。指示情報（Ｉｓｔｒ）は、例えば、ユーザが撮像のためにする動作、具体的には撮像のための機器操作に関して、アドバイスを与えるものであってもよい。また、指示情報（Ｉｓｔｒ）は、ユーザ自身、またはユーザの視界を移動させるための動作に関するリクエストであってもよい。
【００１９】
コンテンツ提供端末１００は、撮像によって取得した画像（Ｉｍｇ）を共有画像として送信する機能と、画像（Ｉｍｇ）に対する応答として取得される指示情報（Ｉｓｔｒ）を受信してユーザに対して出力する機能とを有する。コンテンツ提供端末１００は、例えばデジタルカメラ、またはカメラ付きの携帯電話（スマートフォン）もしくはヘッドマウントディスプレイ（ＨＭＤ：Head  Mounted  Display）など、上記の機能を実現することが可能な各種の装置でありうる。
【００２０】
サーバ２００は、画像（Ｉｍｇ）をコンテンツ提供端末１００から受信し、コンテンツ参照端末３００へと配信する。なお、画像（Ｉｍｇ）は、静止画であってもよいし、動画であってもよい。動画の場合、例えばストリーミングまたはプログレッシブダウンロードなどの技術を用いて画像（Ｉｍｇ）がコンテンツ参照端末３００に配信されうる。サーバ２００は、例えばネットワーク上の１または複数のサーバ装置によって実現される。
【００２１】
コンテンツ参照端末３００は、サーバ２００から配信される画像（Ｉｍｇ）を受信してユーザに対して出力する機能と、ユーザが画像（Ｉｍｇ）に対する応答として入力する指示情報（Ｉｓｔｒ）を受け付けてサーバ２００に送信する機能とを有する。コンテンツ参照端末３００は、例えば各種のＰＣ（Personal  Computer）、テレビ、デジタルカメラ、ポータブルメディアプレーヤ、ＨＭＤなど、上記の機能を実現することが可能な各種の装置でありうる。
【００２２】
なお、図では、コンテンツ参照端末３００の例として、テレビ（コンテンツ参照端末３００ａ）、デジタルカメラ（コンテンツ参照端末３００ｂ）、およびＨＭＤ（コンテンツ参照端末３００ｃ）が例示されている。コンテンツ参照端末３００ｂは、画像（Ｉｍｇ）を受信しているが、指示情報（Ｉｓｔｒ）は送信していない。このように、コンテンツ参照端末３００の中には、その機能を有さない、またはあってもユーザが使用していないために、指示情報（Ｉｓｔｒ）を送信しないものが含まれていてもよい。つまり、画像（Ｉｍｇ）を共有するすべてのユーザから、応答として指示情報（Ｉｓｔｒ）が送信されなくてもよい。
【００２３】
上記で説明したコンテンツ提供端末１００、サーバ２００を構成する個々のサーバ装置、およびコンテンツ参照端末３００は、いずれも、後述する情報処理装置のハードウェア構成を用いて実現されうる。また、これらの端末装置、およびサーバ装置は、有線または無線の各種のネットワークによって相互に接続されうる。
【００２４】
図２は、本開示の第１の実施形態に係るコンテンツ提供端末の概略的な機能構成を示すブロック図である。上述のように、コンテンツ提供端末１００は、後述する情報処理装置のハードウェア構成を用いて実現されうる。
【００２５】
コンテンツ提供端末１００は、撮像部１１０と、ＣＰＵ（Central  Processing  Unit）１２０と、通信部１３０と、出力部１４０とを有する。各構成要素について、以下で説明する。なお、コンテンツ提供端末１００は、例えばデジタルカメラ、またはカメラ付きの携帯電話（スマートフォン）もしくはＨＭＤなどでありうる。これらの装置の機能を実現するために、図示された構成要素以外の構成要素がコンテンツ提供端末１００に含まれうる。
【００２６】
撮像部１１０は、例えば、レンズその他の光学系、撮像素子、光学系および撮像素子の駆動部、撮像素子によって取得された画像データを処理するための画像処理回路などによって実現される。撮像部１１０は、コンテンツ提供端末１００の周囲の現実空間にある被写体の像を画像データに変換し、これをＣＰＵ１２０に出力する。なお、以下の説明では、画像データを単に「画像」と称する場合がある。撮像部１１０は、コンテンツ提供端末１００のユーザを含まない画像を取得するように配置されうる。例えば、コンテンツ提供端末１００が出力部１４０としてディスプレイを有する場合、撮像部１１０は、ディスプレイとは反対側（つまりユーザがいない方）を向いて配置されてもよい。
【００２７】
ＣＰＵ１２０は、プログラムに従って動作することによって、画像取得部１２１、画像送信部１２２、指示情報受信部１２３、および指示情報出力部１２４の機能を実現する。プログラムは、例えばＲＯＭ（Read  Only  Memory）、ストレージ装置、またはリムーバブル記録媒体などに格納されており、ＣＰＵによって読み込まれて実行される。プログラムの実行には、ＲＡＭ（Random  Access  Memory）も用いられうる。以下、ＣＰＵ１２０によって実現される各機能について説明する。
【００２８】
画像取得部１２１は、撮像画像を取得する。より具体的には、画像取得部１２１は、撮像部１１０によって撮像されてＣＰＵ１２０に出力された画像を取得して、画像送信部１２２に提供する。なお、画像取得部１２１は、撮像部１１０によって連続的に取得されている撮像画像、すなわちスルー画像を取得してもよいし、撮像画像が記録された場合、つまり、静止画の記録でシャッターが切られた場合や、動画の録画が実行されている場合に限って撮像画像を取得してもよい。
【００２９】
画像送信部１２２は、撮像画像を共有画像として送信する。より具体的には、画像送信部１２２は、画像取得部１２１が取得した撮像画像を、通信部１３０を介してサーバ２００に送信する。サーバ２００に送信された撮像画像は、コンテンツ参照端末３００から参照可能になる。つまり、撮像画像は、コンテンツ提供端末１００とコンテンツ参照端末３００との間、またはコンテンツ参照端末３００同士の間で共有される共有画像になる。
【００３０】
なお、画像送信部１２２は、必ずしも画像取得部１２１が取得した画像をすべてサーバ２００に送信するとは限らない。例えば、画像送信部１２２は、コンテンツ提供端末１００のユーザの許可が取得された場合に限って、画像を送信してもよい。また、画像送信部１２２は、ユーザの位置、すなわちコンテンツ提供端末１００の位置が所定の条件を満たす場合に限って、画像を送信してもよい。
【００３１】
指示情報受信部１２３は、共有画像に対する応答として取得される、撮像を実行するユーザの動作に関する指示情報を受信する。より具体的には、指示情報受信部１２３は、通信部１３０を介してサーバ２００から指示情報を受信し、指示情報出力部１２４に提供する。指示情報は、上述のように、コンテンツ参照端末３００において、共有画像を参照したユーザによって入力された情報でありうる。指示情報は、例えば、ユーザが撮像のためにする動作、具体的には撮像のための機器操作に関して、アドバイスを与えるものであってもよく、ユーザ自身またはユーザの視界を移動させるための動作に関するリクエストであってもよい。
【００３２】
指示情報出力部１２４は、指示情報をユーザに対して出力する。より具体的には、指示情報受信部１２３が受信した指示情報を、出力部１４０を介してユーザに向けて出力する。図示された例では、出力部１４０がディスプレイであるため、指示情報出力部１２４は指示情報をテキストなどの画像として出力する。あるいは、出力部１４０がスピーカであるような場合には、指示情報出力部１２４は、指示情報を音声として出力してもよい。
【００３３】
通信部１３０は、例えば、有線または無線のネットワーク４００に接続される通信装置によって実現される。コンテンツ提供端末１００は、通信部１３０を用い、ネットワーク４００を介して、サーバ２００との間で各種の情報を送受信する。
【００３４】
出力部１４０は、例えば、図示された例のようなディスプレイの他、スピーカなど各種の出力装置によって実現される。出力部１４０は、コンテンツ提供端末１００からの各種の情報を、ユーザに対して出力する。例えば、出力部１４０は、指示情報出力部１２４からの指示情報をユーザに対して出力する。また、出力部１４０は、コンテンツ提供端末１００の操作に関する各種の情報、例えば撮像部１１０によって取得されているスルー画像や、撮像に関する各種のパラメータ、または操作アイコンなどを表示してもよい。
【００３５】
以上で説明した本開示の第１の実施形態では、コンテンツ提供端末１００が撮像画像を共有画像としてサーバ２００に送信するとともに、サーバ２００から共有画像に対する応答として取得された指示情報を受信する。コンテンツ提供端末１００を用いて撮像を実行するユーザは、撮像画像に対応して、自らの動作に関する指示情報を受け取ることができる。このようにして、コンテンツの提供者と利用者との間に双方向的なコミュニケーションが発生し、コンテンツの共有による提供者または利用者の便益をより高めることが可能である。
【００３６】
（２．第２の実施形態）
次に、図３を参照して、本開示の第２の実施形態について説明する。なお、以下の各実施形態の説明では、上記の第１の実施形態の構成を基本として、これとの相違について主に説明する。従って、以下の実施形態で詳細に説明されていない部分については、第１の実施形態と同様の構成が適用されうる。
【００３７】
図３は、本開示の第２の実施形態に係るコンテンツ提供端末のうち、位置情報取得部に関する部分の概略的な機能構成を示すブロック図である。本実施形態では、コンテンツ提供端末１００のＣＰＵ１２０によって、さらに、位置情報取得部１２５の機能が実現される。なお、図では、位置情報取得部１２５に関連する部分以外のコンテンツ提供端末１００の構成要素は省略されている。
【００３８】
位置情報取得部１２５は、コンテンツ提供端末１００のユーザの位置の情報を取得する。より具体的には、例えば、位置情報取得部１２５は、ＧＰＳ（Global  Positioning  System）センサからの情報に基づく位置情報を、ユーザの位置の情報として取得する。また、位置情報取得部１２５は、通信部１３０が無線通信によってネットワーク４００に接続される場合に、無線通信の基地局の位置と信号強度とに基づいて推定される位置情報を、ユーザの位置の情報として取得してもよい。位置情報取得部１２５は、ユーザの位置の情報を画像送信部１２２に提供する。
【００３９】
画像送信部１２２は、位置情報取得部１２５から提供されたユーザの位置の情報を、画像取得部１２１が取得した撮像画像とともに、通信部１３０を介してサーバ２００に送信する。サーバ２００は、例えば、コンテンツ提供端末１００のユーザの位置を地図上に表示した情報とともに共有画像をコンテンツ参照端末３００に配信する。これによって、参照端末３００で共有画像のユーザは、共有画像を、撮像された場所の情報とともに参照することができる。
【００４０】
なお、以下の実施形態の説明において、コンテンツ参照端末３００での表示例として、共有画像を送信しているユーザの位置の情報が表示されている場合がある。このような場合、ユーザの位置の情報は、上記のように位置情報取得部１２５を用いて、共有画像とともに送信されたものでありうる。
【００４１】
（３．第３の実施形態）
次に、図４を参照して、本開示の第３の実施形態について説明する。
【００４２】
図４は、本開示の第３の実施形態に係るコンテンツ提供端末のうち、条件情報生成部に関する部分の概略的な機能構成を示すブロック図である。本実施形態では、コンテンツ提供端末１００のＣＰＵ１２０によって、さらに、位置情報取得部１２５、および条件情報生成部１２６の機能が実現される。なお、図では、位置情報取得部１２５および条件情報生成部１２６に関連する部分以外のコンテンツ提供端末１００の構成要素は省略されている。
【００４３】
条件情報生成部１２６は、共有者の条件を示す共有条件情報を生成する。本実施形態において、条件情報生成部１２６は、位置情報取得部１２５によって取得された、コンテンツ提供端末１００のユーザの位置に基づいて共有条件情報を生成する。ここでいう共有者の条件は、例えば下記の例にあるような、コンテンツ提供端末１００のユーザの位置を含む地域との関連であってもよい。なお、位置情報取得部１２５の機能は、上記の第２の実施形態で説明したものと同様である。条件情報生成部１２６は、生成した共有条件情報を画像送信部１２２に提供する。
【００４４】
画像送信部１２２は、条件情報生成部１２６から提供された共有条件情報を、画像取得部１２１が取得した撮像画像とともに、通信部１３０を介してサーバ２００に送信する。サーバ２００は、例えば、共有条件情報に従って、共有者の条件を満たすユーザのコンテンツ参照端末３００だけに共有画像を配信する。ここで、サーバ２００は、コンテンツ参照端末３００に直接的に共有画像を配信してもよい。あるいは、サーバ２００は、共有可能な画像の情報をコンテンツ参照端末３００に送信し、そこからコンテンツ参照端末３００のユーザによって選択された共有画像を配信してもよい。
【００４５】
本実施形態における条件設定の例として、例えば、条件情報生成部１２６は、コンテンツ提供端末１００のユーザの位置に関連する所定の地域内にいるユーザを共有者とする条件を設定してもよい。このような条件は、例えば、コンテンツ提供端末１００のユーザがある土地を旅行しており、その土地の人と撮像画像を共有して、撮影スポットや観光スポットなどに関する情報を得ることを目的としている場合に有効でありうる。
【００４６】
また、例えば、条件情報生成部１２６は、コンテンツ提供端末１００のユーザの位置に関連する所定の地域の外にいるユーザを共有者とする条件を設定してもよい。このような条件は、例えば、コンテンツ提供端末１００のユーザが、共有された撮像画像から自らの所在地を特定されることを望まない場合に有効でありうる。
【００４７】
なお、上記の２つの例では、例えばサーバ２００において、コンテンツ参照端末３００のユーザが共有者になりうるか否かが判定される。この判定に用いられるコンテンツ参照端末３００のユーザの位置は、例えばコンテンツ参照端末３００においてＧＰＳなどを用いて取得されてもよいし、あるいはサーバ２００が保持している各ユーザの登録情報や、各ユーザのＩＰアドレスなどが利用されてもよい。地域の単位は任意であり、例えば国、地方、都市などでありうる。また、地域に代えて、ユーザの位置から所定の距離以内といったような、幾何的な領域が条件に用いられてもよい。また、条件情報生成部１２６によって生成される条件は、コンテンツ提供端末１００へのユーザ操作によって設定または変更されうる。
【００４８】
（４．第４の実施形態）
次に、図５を参照して、本開示の第４の実施形態について説明する。
【００４９】
図５は、本開示の第４の実施形態に係るコンテンツ提供端末のうち、条件情報生成部に関する部分の概略的な機能構成を示すブロック図である。本実施形態では、コンテンツ提供端末１００のＣＰＵ１２０によって、さらに、条件情報生成部１２６の機能が実現される。なお、図では、条件情報生成部１２６に関連する部分以外のコンテンツ提供端末１００の構成要素は省略されている。
【００５０】
条件情報生成部１２６は、上記の第３の実施形態と同様に、共有者の条件を示す共有条件情報を生成する。本実施形態において、条件情報生成部１２６は、操作部１５０によって取得されたユーザの設定操作に基づいて共有条件情報を生成する。操作部１５０は、例えば、出力部１４０として設けられるディスプレイの表面に設置されるタッチパネルでありうるが、この例には限られず、ボタン、ダイヤル、キーパッドなど、各種の入力装置によって実現されうる。条件情報生成部１２６は、ユーザに条件を設定するための情報を提供するにあたり、通信部１３０を介してネットワーク４００から情報を取得してもよい。条件情報生成部１２６は、生成した共有条件情報を画像送信部１２２に提供する。
【００５１】
画像送信部１２２は、上記の第３の実施形態と同様に、条件情報生成部１２６から提供された共有条件情報をサーバ２００に送信し、サーバ２００は、受信した共有条件情報を、共有画像を配信するコンテンツ参照端末３００の選択に利用する。
【００５２】
本実施形態における条件設定の例として、例えば、条件情報生成部１２６は、ソーシャルネットワークサービス（ＳＮＳ：Social  Networking  Service）において、コンテンツ提供端末１００のユーザと友人関係にあるユーザを共有者とする条件を設定してもよい。このＳＮＳは、サーバ２００によって提供されるものであってもよいし、あるいは別のサーバによって提供されるものであってもよい。従って、撮像画像の共有は、ＳＮＳによるサービスの１つとして提供されるものであってもよいし、これとは別に提供されてもよい。
【００５３】
上記の例において、条件情報生成部１２６は、通信部１３０を介して、サーバ２００、またはＳＮＳを提供する他のサーバにアクセスし、コンテンツ提供端末１００のユーザが利用しているＳＮＳの情報や、ユーザと友人関係にあるユーザの情報を取得してもよい。
【００５４】
また、条件情報生成部１２６は、例えばユーザが利用しているＳＮＳが複数ある場合、どのＳＮＳの友人と撮像画像を共有するかについて、操作部１５０を介してユーザの指示を取得してもよい。このとき選択されるＳＮＳは、複数であってもよい。さらに、条件情報生成部１２６は、例えばＳＮＳにおけるユーザの友人が複数いる場合、どの友人と撮像画像を共有するかについて、操作部１５０を介してユーザの指示を取得してもよい。このとき選択される友人も、複数であってもよい。
【００５５】
（５．第５の実施形態）
次に、図６を参照して、本開示の第５の実施形態について説明する。
【００５６】
図６は、本開示の第５の実施形態に係るコンテンツ提供端末のうち、撮像準備状態判定部に関する部分の概略的な機能構成を示すブロック図である。本実施形態では、コンテンツ提供端末１００のＣＰＵ１２０によって、さらに、撮像準備状態判定部１２７の機能が実現される。なお、図では、撮像準備状態判定部１２７に関連する部分以外のコンテンツ提供端末１００の構成要素は省略されている。
【００５７】
撮像準備状態判定部１２７は、ユーザが撮像画像の記録の準備状態にあるか否かを判定する。より具体的には、例えば、撮像準備状態判定部１２７は、加速度センサからの情報に基づいてコンテンツ提供端末１００の筐体の姿勢を検出し、それが撮像画像の記録の準備状態を示すか否かを判定してもよい。また、例えば、撮像部１１０が連続的に起動されていない場合、撮像準備状態判定部１２７は、電源の投入や撮像機能の起動などによって撮像部１１０が起動された場合に、ユーザが撮像画像の記録の準備状態にあると判定してもよい。撮像準備状態判定部１２７は、上記の判定の結果を画像送信部１２２に提供する。
【００５８】
画像送信部１２２は、撮像準備状態判定部１２７によってユーザが撮像画像の記録の準備状態にあると判定された場合に、画像取得部１２１から取得した撮像画像を、通信部１３０を介してサーバ２００に送信する。
【００５９】
上記の第１の実施形態で説明したように、画像取得部１２１は、撮像部１１０によって連続的に取得されている撮像画像、すなわちスルー画像を取得しうる。本実施形態において、画像取得部１２１は、撮像画像の記録の前後に取得されるスルー画像を取得する。しかしながら、画像送信部１２２がスルー画像を無条件に共有画像として送信すると、コンテンツ提供端末１００のユーザが撮像の合間に移動しているときの意味のない画像が共有画像として送信され続けたり、ユーザが公開することを望まない、プライベートな画像までもが共有画像として送信されたりしてしまう可能性がある。
【００６０】
そこで、本実施形態では、ユーザが撮像画像の記録を準備しているか否かを撮像準備状態判定部１２７によって判定する。これによって、例えば、ユーザが撮像画像の記録の準備をしている場合に限って撮像画像を共有し、コンテンツ参照端末３００のユーザからみて意味のある画像が共有画像として送信されるようにすることができる。また、例えば、ユーザが撮像画像の記録の準備をしていない、つまりコンテンツ提供端末１００のユーザが、撮像画像が取得されていることを意識していない間は撮像画像を共有しないことによって、ユーザのプライバシーを守ることができる。
【００６１】
（６．第６の実施形態）
次に、図７を参照して、本開示の第６の実施形態について説明する。
【００６２】
図７は、本開示の第６の実施形態に係るコンテンツ提供端末のうち、許可取得部に関する部分の概略的な機能構成を示すブロック図である。本実施形態では、コンテンツ提供端末１００のＣＰＵ１２０によって、さらに、許可取得部１２８の機能が実現される、なお、図では、許可取得部１２８に関連する部分以外のコンテンツ提供端末１００の構成要素は省略されている。
【００６３】
許可取得部１２８は、共有画像の送信、または送信された共有画像の公開に対するユーザの許可を取得する。本実施形態において、許可取得部１２８は、出力部１４０を介してユーザに情報を提示し、操作部１５０を介してユーザの操作を取得することによって、許可を取得する。許可取得部１２８は、例えば画像取得部１２１によって撮像画像が取得された時などに自動的にユーザの許可を取得してもよいし、コンテンツ参照端末３００のユーザからサーバ２００に送信された画像共有の要求を通信部１３０を介して取得し、これに応答してユーザの許可を取得してもよい。許可取得部１２８は、取得された許可の情報を画像送信部１２２に提供する。
【００６４】
画像送信部１２２は、許可取得部１２８が取得した許可に応じて、共有画像を、通信部１３０を介してサーバ２００に送信する。例えば、許可取得部１２８が共有画像の送信に対するユーザの許可を取得する場合、画像送信部１２２は、許可が取得された場合には撮像画像を共有画像として送信し、許可が取得されない場合には画像を送信しない。また、例えば、許可取得部１２８が共有画像の公開に対するユーザの許可を取得する場合、画像送信部１２２は、許可が取得された場合には共有可能な画像として撮像画像をサーバ２００に送信し、許可が取得されない場合には共有が禁止された画像として撮像画像をサーバ２００に送信する。この後者の例は、例えば、サーバ２００がオンラインストレージとして機能しており、撮像画像を共有しない場合でも、ユーザが画像をサーバ２００に送信する必要がある場合に適用されうる。
【００６５】
本実施形態における許可取得の例として、例えば、許可取得部１２８は、画像送信部１２２が画像取得部１２１から撮像画像を取得し始めた時に、撮像画像を他のユーザと共有することが可能か否かを問い合わせるメッセージを出力部１４０から出力し、これに対するユーザの返答を操作部１５０から取得してもよい。
【００６６】
また、例えば、許可取得部１２８は、画像送信部１２２が送信した撮像画像に対して、他のユーザからの画像共有の要求があったことを示す情報が通信部１３０を介して取得された場合に、その画像を共有画像として公開することが可能な否かを問い合わせるメッセージを出力部１４０から出力し、これに対するユーザの返答を操作部１５０から取得してもよい。なお、ここでの画像共有の要求は、それまで参照していなかった画像を新たに参照する場合だけではなく、それまでサムネイルなどで小さいサイズで参照していた画像を、より大きいサイズで参照する場合の要求をも含みうる。
【００６７】
（７．第７の実施形態）
次に、図８および図９を参照して、本開示の第７の実施形態について説明する。
【００６８】
図８は、本開示の第７の実施形態に係るコンテンツ提供端末のうち、許可取得部に関する部分の概略的な機能構成を示すブロック図である。本実施形態では、コンテンツ提供端末１００のＣＰＵ１２０によって、さらに、位置情報取得部１２５および許可取得部１２８の機能が実現される。なお、図では、位置情報取得部１２５および許可取得部１２８に関連する部分以外のコンテンツ提供端末１００の構成要素は省略されている。
【００６９】
許可取得部１２８は、上記の第６の実施形態と同様に、共有画像の送信、または送信された共有画像の公開に対するユーザの許可を取得する。本実施形態において、許可取得部１２８は、位置情報取得部１２５によって取得された、コンテンツ提供端末１００のユーザの位置に基づいて、共有画像の送信または送信された共有画像の公開にあたってユーザの許可を取得するか否かを判断する。より具体的には、例えば、許可取得部１２８は、ユーザの位置が所定の条件を満たす場合にユーザの許可を取得する。許可取得部１２８は、例えば、出力部１４０を介してユーザに情報を提示し、操作部１５０を介してユーザの操作を取得することによって、許可を取得し、取得された許可の情報を画像送信部１２２に提供する。
【００７０】
画像送信部１２２は、上記の第６の実施形態と同様に、許可取得部１２８が取得した許可に応じて、共有画像を、通信部１３０を介してサーバ２００に送信する。
【００７１】
本実施形態における許可の取得の例として、例えば、許可取得部１２８は、コンテンツ提供端末１００のユーザの位置がユーザの自宅、学校、職場、またはそれらの近傍などのような特定の領域にある場合に、共有画像の送信または公開にあたってユーザの許可を取得してもよい。これによって、例えば、コンテンツ提供端末１００のユーザが、意図せずにプライベートな画像を共有してしまうことを防ぐことができる。上記の特定の領域は、例えば、美術館、図書館、または書店などであってもよい。この場合、例えば、コンテンツ提供端末１００のユーザが、他人の著作権を侵害する画像を公開してしまうことを防ぐことができる。
【００７２】
上記の例において、許可取得部１２８は、出力部１４０および操作部１５０を介して、ユーザの操作によって許可を取得するが、この過程は自動化されていてもよい。つまり、ユーザが共有画像の送信または公開を許可するか否かは、条件に応じて予め設定されており、許可取得部１２８は、例えば設定情報を参照して、許可を与えるか否かを判定してもよい。この場合、例えば、コンテンツ提供端末１００は、ユーザの自宅、学校、職場、またはそれらの近傍などで共有画像の送信または公開が自動的に禁止されるように設定されうる。また、コンテンツ提供端末１００は、美術館、図書館、または書店などで共有画像の送信または公開が自動的に禁止されるように設定されていてもよい。
【００７３】
図９は、本開示の第７の実施形態において、ユーザの位置が自宅に近い場合には共有画像の送信または公開にユーザの許可を必要とする例を示すフローチャートである。上記の通り、本実施形態では、フローチャートに示される以外にも様々な処理のバリエーションが可能である。
【００７４】
まず、位置情報取得部１２５が、コンテンツ提供端末１００のユーザの位置を取得する（ステップＳ１０１）。上述のように、位置情報取得部１２５による位置の取得は、ＧＰＳ、無線基地局を利用した測位など、各種の方法で実行されうる。
【００７５】
次に、許可取得部１２８は、取得されたユーザの位置が、自宅に近いか否かを判定する（ステップＳ１０３）。ここで、位置が自宅（学校もしくは職場、または美術館、図書館、もしく書店などであってもよい）に近いと判定された場合、許可取得部１２８は、撮像画像を共有画像として画像送信部１２２から送信する場合、または送信された共有画像をサーバ２００で公開する場合に、ユーザの許可を取得する（ステップＳ１０５）。
【００７６】
この場合、例えば、許可取得部１２８は、出力部１４０および操作部１５０を介して、ユーザの操作によって許可を取得してもよく、また設定情報を参照して許可を与えるか否かを判定してもよい。
【００７７】
一方、ステップＳ１０３において、位置が自宅に近くないと判定された場合、許可取得部１２８は、撮像画像を共有画像として画像送信部１２２から送信する場合、または送信された共有画像をサーバ２００で公開する場合に、ユーザの許可を取得しない（ステップＳ１０７）。従って、共有画像は、ユーザの許可がなくても、自動的に送信および公開されうる。
【００７８】
以上のフローチャートで示したような処理によって、例えば、ユーザが共有画像の送信または公開を望まない事情があると推定される場所では、共有画像の送信または公開にあたってユーザの許可を取得することによって、意図しない画像の公開を防ぐことができる。また、そのような事情がないと推定される場所では、共有画像の送信または公開にあたってユーザの許可を取得しないことによって、ユーザの操作の煩雑さを軽減し、手軽に他のユーザとの間で撮像画像を共有することができる。
【００７９】
（８．第８の実施形態）
次に、図１０を参照して、本開示の第８の実施形態について説明する。
【００８０】
図１０は、本開示の第８の実施形態に係るコンテンツ提供端末のうち、許可取得部に関する部分の概略的な機能構成を示すブロック図である。本実施形態では、コンテンツ提供端末１００が、マイクロフォン１６０をさらに有する。また、ＣＰＵ１２０によって、さらに、許可取得部１２８、音声取得部１２９、および音声送信部１２１０の機能が実現される。なお、図では、これらの構成要素に関連する部分以外のコンテンツ提供端末１００の構成要素は省略されている。
【００８１】
音声取得部１２９は、撮像部１１０によって取得された画像に付随する音声を取得する。一般的には、音声が付随するのは動画像であるが、静止画像に音声が付随してもよい。より具体的には、音声取得部１２９は、撮像部１１０の近傍に設置されたマイクロフォン１６０によって集音された音声を取得して、音声送信部１２１０に提供する。なお、音声取得部１２９は、マイクロフォン１６０によって集音された音声を連続的に取得してもよいし、撮像部１１０によって取得された画像が記録された場合に、それに伴って録音された音声を取得してもよい。
【００８２】
音声送信部１２１０は、音声取得部１２９によって取得された音声を、共有音声として送信する。より具体的には、音声送信部１２１０は、音声取得部１２９が取得した音声を、通信部１３０を介してサーバ２００に送信する。サーバ２００に送信された音声は、同じときに画像送信部１２２から送信された撮像画像と共に、コンテンツ参照端末３００で再生することが可能になる。つまり、音声は、コンテンツ提供端末１００とコンテンツ参照端末３００との間、またはコンテンツ参照端末３００同士の間で共有される共有音声になる。
【００８３】
許可取得部１２８は、共有画像および共有音声の送信、または送信された共有画像および共有音声の公開に対するユーザの許可を取得する。本実施形態において、許可取得部１２８は、出力部１４０を介してユーザに情報を提示し、操作部１５０を介してユーザの操作を取得することによって、許可を取得する。なお、許可の取得自体に関する許可取得部１２８の構成は、上記の第６および第７の実施形態と同様の構成を適用することが可能である。許可取得部１２８は、取得された許可の情報を画像送信部１２２および音声送信部１２１０に提供する。
【００８４】
ここで、許可取得部１２８は、共有画像の送信または公開に対する許可と、共有音声の送信または公開に対する許可とを、それぞれ独立して取得しうる。それゆえ、例えば、許可取得部１２８は、共有画像の送信または公開を許可する一方で、共有音声の送信または公開を許可しないことが可能である。逆に、許可取得部１２８は、共有画像の送信または公開を許可しない一方で、共有画像の送信または公開を許可することも可能である。もちろん、許可取得部１２８は、共有画像および共有音声の両方の送信または公開を、一括して許可または禁止してもよい。
【００８５】
このようにして、画像および音声の共有に関する許可の設定を、ユーザの必要に応じて詳細に設定することが可能である。例えば、コンテンツ提供端末１００のユーザが家族や友人などと一緒におり、撮像画像は公開してよいけれども彼らとの会話は公開したくないような場合、ユーザは共有画像の送信または公開だけを許可し、共有音声の送信または公開は許可しないことができる。
【００８６】
同様にして、共有画像に付随する音声以外の情報の公開についても、共有画像とは独立して、送信または公開の許可が取得されてもよい。例えば、上記の第２の実施形態で共有画像とともにサーバ２００に送信されたユーザの位置の情報について、許可取得部１２８が、送信または公開を許可するか否かを、共有画像の送信または公開とは別に設定してもよい。
【００８７】
（９．提供者からリクエストがある場合の表示例）
以下、図１１〜図１９を参照して、本開示の実施形態における、撮像画像の共有がコンテンツ提供者からリクエストされる場合の表示例について説明する。これらの表示例は、上記の実施形態のいずれか１つ、または複数を適切に組み合わせることによって実現可能である。表示例は、実施形態における表示の一例を示すものであり、各実施形態が以下の表示例によって何らかの限定をされるものではない。
【００８８】
図１１は、撮像画像の共有がコンテンツの提供者からリクエストされる場合のコンテンツ提供端末１００の表示例を示す。図示された例において、表示画面１１００には、撮像画像（スルー画像）が表示されている。また、表示画面１１００には、時刻表示１１０１、撮像ボタン１１０３、および共有ボタン１１０５が表示されてもよい。
【００８９】
撮像ボタン１１０３がディスプレイ上のタッチパネルを介して押下されると、表示されている撮像画像が静止画像として記録される。撮像ボタン１１０３は、静止画像に代えて、またはこれとともに、動画像について表示されてもよい。
【００９０】
共有ボタン１１０５がタッチパネルを介して押下されると、表示されている撮像画像が共有画像としてサーバ２００に送信される。つまり、図示された例において、共有ボタン１１０５の押下は、撮像画像を共有画像として送信することに対するユーザの許可として解釈されうる。
【００９１】
図１２は、図１１の例において、撮像画像の共有にあたって共有者の条件を選択するときの表示例を示す。例えば、図１１の例において、共有ボタン１１０５が押下された場合、撮像画像を共有画像としてサーバ２００に送信する前に、表示画面１１００に条件選択ダイアログ１１０７が表示され、共有者の条件をユーザに問い合わせてもよい。
【００９２】
条件選択ダイアログ１１０７では、共有者の条件として、３つの選択肢が示されている。第１の条件は、ＳＮＳの友人であることである。第２の条件は、コンテンツ提供端末１００のユーザの現在地の近傍にいることである（現在いることだけでなく、過去にいたことを条件にしてもよい）。第３の条件は、予め登録された撮影アドバイザーであることである。
【００９３】
例えば、上記の第１の条件は、旅行先などで、ＳＮＳの友人と観光名所や景色などの撮像画像を共有して楽しみたい場合に選択されうる。また、第２の条件は、旅行先などで、その土地の人と撮像画像を共有して、撮影スポットや観光スポットなどに関する情報を得たい場合に選択されうる。第３の条件は、撮影アドバイザーに実際の撮像画像を見てもらい、撮像に関するアドバイスを受けたい場合に選択されうる。
【００９４】
（ＳＮＳの友人との共有の例）
図１３は、図１２の例において、ＳＮＳの友人と撮像画像を共有した場合の表示例を示す。この場合、表示画面１１００には、メッセージログ１１０９が表示されてもよい。メッセージログ１１０９は、コンテンツ提供端末１００のユーザ（ジョン）と、コンテンツ参照端末３００のユーザ、この場合はＳＮＳの友人（ポール、ジョージ）との間で交わされるメッセージをログとして表示する。このようにして、コンテンツ提供端末１００のユーザは、友人との会話を楽しみながら、画像を撮像することができる。
【００９５】
一方、図１４は、図１３の例における、コンテンツ参照端末３００での表示例を示す。コンテンツ提供端末１００から送信された撮像画像を共有した場合、コンテンツ参照端末３００でも、コンテンツ提供端末１００と同様に撮像画像が表示されうる。図示された例では、表示画面３１００に、コンテンツ提供端末１００の表示画面１１００と同様の撮像画像（スルー画像）が表示されている。また、表示画面３１００には、時刻表示３１０１、撮像ボタン３１０３が表示されてもよい。撮像ボタン３１０３をタッチパネルなどを用いて押下することによって、コンテンツ参照端末３００のユーザも、撮像画像を記録することが可能である。
【００９６】
図１５は、図１３および図１４の例において、コンテンツ参照端末３００で撮像が実行された場合の、コンテンツ提供端末１００での表示例を示す。このとき、コンテンツ参照端末３００を用いて撮像画像を共有しているユーザ（ポール）が、表示画面３１００に表示された撮像ボタン３１０３を押下して、撮像画像を記録している。コンテンツ提供端末１００の表示画面１１００では、これに対応して、通知表示１１１１が表示されてもよい。通知表示１１１１は、例えば通知表示１１１１ａのように、共有者のうちの誰が撮像画像を記録したかを知らせる表示であってもよいし、表示画面１１００の外周部に表示される通知表示１１１１ｂのように、より直感的な表示であってもよい。
【００９７】
例えば、通知表示１１１１ａによって、コンテンツ提供端末１００のユーザ（ジョン）は、撮像画像を共有している友人（ポール）が撮像画像を記録したことを知り、会話を盛り上げることができる。また、例えば、通知表示１１１１ｂによって、コンテンツ提供端末１００のユーザ（ジョン）は、今がシャッターチャンスであることを知り、自分でも撮像画像を記録することができる。
【００９８】
（友人以外との共有の例）
図１６は、図１２の例において、現在地の近傍のユーザ、または撮影アドバイザーと撮像画像を共有する場合の、コンテンツ参照端末３００での表示例を示す。この場合、コンテンツ提供端末１００のユーザが図１２の条件選択ダイアログ１１０７で“この付近の人たち”または“撮影アドバイザー”を選択すると、このユーザの情報が、条件を満たすコンテンツ参照端末３００に表示される。つまり、コンテンツ提供端末１００のユーザは、所定の条件を満たすユーザとの撮像画像の共有をリクエストしている状態になる。
【００９９】
図示された例の表示画面３２００には、地図が表示され、地図上に、“この付近の人たち”を共有者の条件に設定したユーザが“ローカル情報求む！”のアイコン３２０１ａとして、“撮影アドバイザー”を共有者の条件に設定したユーザが“アドバイス求む！”のアイコン３２０１ｂとして、それぞれ表示される。例えば、アイコン３２０１ａは、撮像画像の共有をリクエストしているユーザの位置に関連する所定の地域内、またはその位置から所定の距離以内の領域にいるコンテンツ参照端末３００のユーザに対して表示されうる。また、例えば、アイコン３２０１ｂは、撮像画像の共有サービスに予め登録された撮影アドバイザーのコンテンツ参照端末３００に表示されうる。
【０１００】
表示画面３２００には、さらに、選択アイコン３２０３と、共有ボタン３２０５とが表示される。コンテンツ参照端末３００のユーザは、例えばタッチパネルなどの操作部を介して、選択アイコン３２０３を用いてアイコン３２０１のいずれかを選択し、共有ボタン３２０５を押下する。これによって、選択されたアイコン３２０１に対応するコンテンツ提供端末１００のユーザとの間で、コンテンツ参照端末３００のユーザによる撮像画像の共有が開始される。
【０１０１】
図１７は、図１２および図１６の例において、現在地の近傍のユーザと撮像画像を共有した場合の、コンテンツ提供端末１００の表示例を示す。この場合も、表示画面１１００には、メッセージログ１１０９が表示されうる。メッセージログ１１０９は、コンテンツ提供端末１００のユーザ（ジョン）と、彼のリクエストに応答して撮像画像を共有しているコンテンツ参照端末３００のユーザ（フレディ、ブライアン）との間で交わされるメッセージをログとして表示する。このようにして、コンテンツ提供端末１００のユーザは、例えば地元の人から付近の撮影スポットや観光スポットなどに関する情報を得ることができる。
【０１０２】
図１８は、図１２および図１６の例において、撮影アドバイザーと撮像画像を共有した場合の、コンテンツ提供端末１００の表示例を示す。この場合も、表示画面１１００には、メッセージログ１１０９が表示されうる。メッセージログ１１０９は、コンテンツ提供端末１００のユーザ（ジョン）と、彼のリクエストに応答してコンテンツ参照端末３００で撮影画像を共有している撮影アドバイザー（ジミー、ロバート）との間で交わされるメッセージをログとして表示する。このようにして、コンテンツ提供端末１００のユーザは、撮影アドバイザーから撮像のための動作、例えば機器操作に関する情報を得ることができる。
【０１０３】
図１９は、図１８の例において、撮影アドバイザーから撮影タイミングが示された場合の、コンテンツ提供端末１００の表示例を示す。撮影アドバイザーのコンテンツ参照端末３００では、例えば、図１５に示した表示画面３１００のような画面が表示される。撮影アドバイザー（ジミー）は、例えば表示画面３１００に表示される撮像ボタン３１０３のようなボタンを押下することによって、コンテンツ提供端末１００のユーザ（ジョン）に対して撮影タイミングを示すことができる。なお、この場合、撮影アドバイザーの側では、必ずしも撮像画像が記録されなくてもよい。
【０１０４】
このとき、コンテンツ提供端末１００の表示画面１１００には、通知表示１１１３が表示される。通知表示１１１３は、例えば通知表示１１１３ａのようにテキストによる表示であってもよいし、表示画面１１００の外周部に表示される通知表示１１１３ｂのように、より直感的な表示であってもよい。これによって、コンテンツ提供端末１００のユーザは、今がシャッターチャンスであることを知り、それを逃さずに撮像画像を記録することができる。
【０１０５】
（１０．参照者からのリクエストによる表示例）
以下、図２０〜図２３を参照して、本開示の実施形態における、コンテンツ参照者から撮像画像の共有がリクエストされる場合の表示例について説明する。これらの表示例は、上記の実施形態のいずれか１つ、または複数を適切に組み合わせることによって実現可能である。表示例は、実施形態における表示の一例を示すものであり、各実施形態が以下の表示例によって何らかの限定をされるものではない。
【０１０６】
図２０は、撮像画像の共有がコンテンツの参照者からリクエストされる場合のコンテンツ参照端末３００の表示例を示す。図示された例において、表示画面３３００には、地図が表示され、地図上に、撮像画像が共有可能である可能性があるユーザが、アイコン３３０１として表示される。
【０１０７】
例えば、アイコン３３０１は、コンテンツ提供端末１００のユーザが何らかの条件、例えば、共有をリクエストしてきたのが友人であるとか、撮像画像の被写体が共有しても差し支えないものであるとかいった条件のもとに撮像画像を共有する可能性がある場合に表示されうる。実際に撮像画像を共有するか否かは、コンテンツ参照端末３００のユーザによって共有がリクエストされてから判断されてもよいし、あるいは予め設定された条件に従って自動的に判定が実行され、共有が許可される場合には自動的に共有が開始されてもよい。
【０１０８】
表示画面３３００には、さらに、選択アイコン３３０３と、共有ボタン３３０５と、共有人数表示３３０７とが表示されうる。コンテンツ参照端末３００のユーザは、例えばタッチパネルなどの操作部を介して、選択アイコン３３０３を用いてアイコン３３０１のいずれかを選択し、共有ボタン３３０５を押下する。これによって、選択されたアイコン３３０１に対応するコンテンツ提供端末１００のユーザに対して、撮像画像の共有のリクエストが送信される。
【０１０９】
ここで、共有人数表示３３０７は、アイコン３３０１に対応するコンテンツ提供端末１００から送信された撮像画像が、何人のユーザによって共有されているかを示す。例えば、コンテンツ参照端末３００のユーザは、共有人数表示３３０７によって、例えば、共有しているユーザの数が多く、より人気のある場所から送信されている撮像画像を共有対象として選択することができる。また、逆に、コンテンツ参照端末３００のユーザは、共有人数表示３３０７によって、共有しているユーザの数が少なく、コンテンツ提供端末１００のユーザとのコミュニケーションがとりやすい撮像画像を共有対象として選択してもよい。
【０１１０】
図２１は、図２０の例において、コンテンツ参照端末３００のユーザによって撮像画像の共有がリクエストされた場合の、コンテンツ提供端末１００での表示例を示す。このとき、表示画面１１００には、共有許可確認ダイアログ１１１５が表示される。共有許可確認ダイアログ１１１５には、例えば、共有をリクエストしているユーザを識別するための情報が表示されうる。図示された例では、共有をリクエストしているユーザの名前“ポール”と、そのメールアドレスが、共有許可確認ダイアログ１１１５に表示されている。これらの情報に代えて、またはこれらとともに、例えばＳＮＳでのユーザ名などが表示されてもよい。
【０１１１】
コンテンツ提供端末１００のユーザは、例えば、共有許可確認ダイアログ１１１５に表示される“ＯＫ”ボタンをタッチパネルなどの操作部を介して押下することによって、撮像画像の共有のリクエストに対して許可を与えることができる。また、コンテンツ提供端末１００のユーザは、共有許可確認ダイアログ１１１５に表示される“ＮＧ”ボタンを押下することによって、共有のリクエストを拒否することができる。
【０１１２】
図２２は、撮像画像の共有がコンテンツの参照者からリクエストされる場合のコンテンツ参照端末３００の別の表示例を示す。図示された例において、表示画面３４００には、地図が表示され、地図上に、コンテンツ提供端末１００から送信された撮像画像が、縮小画像３４０１として表示される。
【０１１３】
例えば、縮小画像３４０１は、コンテンツ提供端末１００のユーザが、撮像画像を縮小された状態で共有することを許可した場合に表示されうる。縮小画像３４０１は、表示画面３４００の地図上に複数表示されてもよい。このような場合、縮小画像３４０１は、地図によって表された領域の様々な場所で撮像されている画像を一覧で表示するサムネイル画像として機能しうる。
【０１１４】
表示画面３４００には、さらに選択アイコン３４０３と、拡大表示ボタン３４０５とが表示されうる。コンテンツ参照端末３００のユーザは、例えばタッチパネルなどの操作部を介して、選択アイコン３３０３を用いて縮小画像３４０１のいずれかを選択し、拡大表示ボタン３４０５を押下する。これによって、選択された縮小画像３４０１を共有画像として送信しているコンテンツ提供端末１００のユーザに対して、共有されている撮像画像の拡大表示のリクエストが送信される。
【０１１５】
図２３は、図２２の例において、コンテンツ参照端末３００のユーザによって共有画像の拡大表示がリクエストされた場合の、コンテンツ提供端末１００での表示例を示す。このとき、表示画面１１００には、拡大許可確認ダイアログ１１１７が表示される。拡大許可確認ダイアログ１１１７には、例えば、撮像画像の拡大表示をリクエストしているユーザを識別するための情報が表示されうる。図示された例では、拡大表示をリクエストしているユーザの名前“ポール”と、そのメールアドレスが、拡大許可確認ダイアログ１１１７に表示されている。これらの情報に代えて、またはこれらとともに、例えばＳＮＳでのユーザ名などが表示されてもよい。
【０１１６】
コンテンツ提供端末１００のユーザは、例えば、拡大許可確認ダイアログ１１１７に表示される“ＯＫ”ボタンをタッチパネルなどの操作部を介して押下することによって、撮像画像の拡大表示のリクエストに対して許可を与えることができる。また、コンテンツ提供端末１００のユーザは、拡大許可確認ダイアログ１１１７に表示される“ＮＧ”ボタンを押下することによって、拡大表示のリクエストを拒否することができる。
【０１１７】
このように、共有画像のサイズ変更の要求に対してコンテンツ提供端末１００のユーザの許可を取得することによって、ユーザが、縮小された撮像画像を共有することには差し支えないが、拡大された撮像画像はプライバシーなどの観点から共有することを望まないような場合にも、差し支えのない範囲で撮像画像を共有することが可能になる。
【０１１８】
（１１．その他の表示例）
以下、図２４および図２５を参照して、本開示の実施形態におけるその他の表示例について説明する。これらの表示例は、上記の実施形態のいずれか１つ、または複数を適切に組み合わせることによって実現可能である。表示例は、実施形態における表示の一例を示すものであり、各実施形態が以下の表示例によって何らかの限定をされるものではない。
【０１１９】
図２４は、撮像画像の画像と音声とについて、互いに独立して共有の許可を設定することが可能である場合の、コンテンツ提供端末１００の表示例を示す。図示された例において、表示画面１１００には、許可確認ダイアログ１１１９が表示される。許可確認ダイアログ１１１９には、上記の他の例と同様に共有をリクエストしているユーザを識別するための情報が表示される。それととともに、許可確認ダイアログ１１１９には、画像および音声のそれぞれについて、共有を許可するか否かを設定するためのアイコン（図示された例では２組のラジオボタン）が表示される。
【０１２０】
コンテンツ提供端末１００のユーザは、例えば、画像および音声についてそれぞれ共有の許可または拒否を設定した状態で、許可確認ダイアログ１１１９に表示される“送信”ボタンを押下することによって、指定した許可状態をサーバ２００に伝達することができる。図示された例では、“画像ならびに音声の共有を許可する”、“画像の共有を許可し、音声の共有を拒否する”、“画像の共有を拒否し、音声の共有を許可する”、および“画像ならびに音声の共有を拒否する”の４つの許可状態を指定することが可能である。
【０１２１】
上記の例において、画像と音声との共有の許可は、必ずしも全く独立して設定可能でなくてもよい。例えば、音声の共有の許可は、画像の共有を許可した場合にのみ可能であってもよい（つまり、音声のみの共有の許可がされないように設定されていてもよい）。
【０１２２】
図２５は、撮像画像の共有によって、コンテンツ提供端末１００のユーザの視界を移動させるための指示情報が取得される場合の表示例を示す。図示された例において、表示画面１１００には、指示情報ログ１１２１が表示される。指示情報ログ１１２１は、上記の他の例におけるメッセージログ１１０９と似ているが、ここに表示されるのは、撮像画像を共有している他のユーザ（指示者）から与えられる、ユーザの歩行による移動や視線方向の変更を指示する情報でありうる。
【０１２３】
上述したように、コンテンツ提供端末１００は、例えばＨＭＤでありうる。この場合、ＨＭＤに搭載される撮像装置は、ＨＭＤを装着したユーザの視界画像を取得するものでありうる。かかる画像を他のユーザと共有することによって、例えば、ＨＭＤを装着したユーザに対して道案内をしたり、視線を指示された方向に向けて共有者が望むものを撮像画像に映したりすることが可能である。なお、ユーザの視界画像は、ＨＭＤに装着される撮像装置だけではなく、例えばデジタルカメラなどによっても取得可能である。
【０１２４】
（１２．ハードウェア構成）
次に、図２６を参照して、本開示の実施形態に係る情報処理装置のハードウェア構成について説明する。図２６は、情報処理装置のハードウェア構成を説明するためのブロック図である。図示された情報処理装置９００は、例えば、上記の実施形態におけるコンテンツ提供端末１００、サーバ２００を構成するサーバ装置、およびコンテンツ参照端末３００を実現しうる。
【０１２５】
情報処理装置９００は、ＣＰＵ（Central  Processing  unit）９０１、ＲＯＭ（Read  Only  Memory）９０３、およびＲＡＭ（Random  Access  Memory）９０５を含む。また、情報処理装置９００は、ホストバス９０７、ブリッジ９０９、外部バス９１１、インターフェース９１３、入力装置９１５、出力装置９１７、ストレージ装置９１９、ドライブ９２１、接続ポート９２３、通信装置９２５を含んでもよい。さらに、情報処理装置９００は、必要に応じて、撮像装置９３３、およびセンサ９３５を含んでもよい。情報処理装置９００は、ＣＰＵ９０１に代えて、またはこれとともに、ＤＳＰ（Digital  Signal  Processor）などの処理回路を有してもよい。
【０１２６】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置９００内の動作全般またはその一部を制御する。ＲＯＭ９０３は、ＣＰＵ９０１が使用するプログラムや演算パラメータなどを記憶する。ＲＡＭ９０５は、ＣＰＵ９０１の実行において使用するプログラムや、その実行において適宜変化するパラメータなどを一次記憶する。ＣＰＵ９０１、ＲＯＭ９０３、およびＲＡＭ９０５は、ＣＰＵバスなどの内部バスにより構成されるホストバス９０７により相互に接続されている。さらに、ホストバス９０７は、ブリッジ９０９を介して、ＰＣＩ（Peripheral  Component  Interconnect/Interface）バスなどの外部バス９１１に接続されている。
【０１２７】
入力装置９１５は、例えば、マウス、キーボード、タッチパネル、ボタン、スイッチおよびレバーなど、ユーザによって操作される装置である。入力装置９１５は、例えば、赤外線やその他の電波を利用したリモートコントロール装置であってもよいし、情報処理装置９００の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、情報処理装置９００に対して各種のデータを入力したり処理動作を指示したりする。
【０１２８】
出力装置９１７は、取得した情報をユーザに対して視覚的または聴覚的に通知することが可能な装置で構成される。出力装置９１７は、例えば、ＬＣＤ（Liquid  Crystal  Display）、ＰＤＰ（Plasma  Display  Panel）、有機ＥＬ（Electro-Luminescence）ディスプレイなどの表示装置、スピーカおよびヘッドホンなどの音声出力装置、ならびにプリンタ装置などでありうる。出力装置９１７は、情報処理装置９００の処理により得られた結果を、テキストまたは画像などの映像として出力したり、音声または音響などの音声として出力したりする。
【０１２９】
ストレージ装置９１９は、情報処理装置９００の記憶部の一例として構成されたデータ格納用の装置である。ストレージ装置９１９は、例えば、ＨＤＤ（Hard  Disk  Drive）などの磁気記憶部デバイス、半導体記憶デバイス、光記憶デバイス、または光磁気記憶デバイスなどにより構成される。このストレージ装置９１９は、ＣＰＵ９０１が実行するプログラムや各種データ、および外部から取得した各種のデータなどを格納する。
【０１３０】
ドライブ９２１は、磁気ディスク、光ディスク、光磁気ディスク、または半導体メモリなどのリムーバブル記録媒体９２７のためのリーダライタであり、情報処理装置９００に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。
【０１３１】
接続ポート９２３は、機器を情報処理装置９００に直接接続するためのポートである。接続ポート９２３は、例えば、ＵＳＢ（Universal  Serial  Bus）ポート、ＩＥＥＥ１３９４ポート、ＳＣＳＩ（Small  Computer  System  Interface）ポートなどでありうる。また、接続ポート９２３は、ＲＳ−２３２Ｃポート、光オーディオ端子、ＨＤＭＩ（High-Definition  Multimedia  Interface）ポートなどであってもよい。接続ポート９２３に外部接続機器９２９を接続することで、情報処理装置９００と外部接続機器９２９との間で各種のデータが交換されうる。
【０１３２】
通信装置９２５は、例えば、通信ネットワーク９３１に接続するための通信デバイスなどで構成された通信インターフェースである。通信装置９２５は、例えば、有線または無線ＬＡＮ（Local  Area  Network）、Ｂｌｕｅｔｏｏｔｈ（登録商標）、またはＷＵＳＢ（Wireless  USB）用の通信カードなどでありうる。また、通信装置９２５は、光通信用のルータ、ＡＤＳＬ（Asymmetric  Digital  Subscriber  Line）用のルータ、または、各種通信用のモデムなどであってもよい。通信装置９２５は、例えば、インターネットや他の通信機器との間で、ＴＣＰ／ＩＰなどの所定のプロトコルを用いて信号などを送受信する。また、通信装置９２５に接続される通信ネットワーク９３１は、有線または無線によって接続されたネットワークであり、例えば、インターネット、家庭内ＬＡＮ、赤外線通信、ラジオ波通信または衛星通信などである。
【０１３３】
撮像装置９３３は、例えば、ＣＣＤ（Charge  Coupled  Device）またはＣＭＯＳ（Complementary  Metal  Oxide  Semiconductor）などの撮像素子、および撮像素子への被写体像の結像を制御するためのレンズなどの各種の部材を用いて実空間を撮像し、撮像画像を生成する装置である。撮像装置９３３は、静止画を撮像するものであってもよいし、また動画を撮像するものであってもよい。
【０１３４】
センサ９３５は、例えば、加速度センサ、ジャイロセンサ、地磁気センサ、光センサ、音センサなどの各種のセンサである。センサ９３５は、例えば情報処理装置９００の筐体の姿勢など、情報処理装置９００自体の状態に関する情報や、情報処理装置９００の周辺の明るさや騒音など、情報処理装置９００の周辺環境に関する情報を取得する。また、センサ９３５は、ＧＰＳ（Global  Positioning  System）信号を受信して装置の緯度、経度および高度を測定するＧＰＳセンサを含んでもよい。
【０１３５】
以上、情報処理装置９００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【０１３６】
（１３．補足）
上記の実施形態では、主に通常のユーザ同士で撮像画像を共有する場合について説明したが、本開示の実施形態はこれには限られない。例えば、有名人が楽屋裏などで撮像した画像を、商用またはプロモーション用のコンテンツとして配信するような場合にも、本開示の実施形態が適用されうる。
【０１３７】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１３８】
なお、以下のような構成も本開示の技術的範囲に属する。
（１）撮像画像を取得する画像取得部と、
前記撮像画像を共有画像として送信する画像送信部と、
前記共有画像に対する応答として取得される、撮像を実行するユーザの動作に関する指示情報を受信する指示情報受信部と、
前記指示情報を前記ユーザに対して出力する指示情報出力部と
を備える情報処理装置。
（２）前記指示情報受信部は、前記ユーザの前記撮像のための動作に関する指示情報を受信する、前記（１）に記載の情報処理装置。
（３）前記指示情報受信部は、前記ユーザに前記撮像のタイミングを指示する指示情報を受信する、前記（２）に記載の情報処理装置。
（４）前記共有画像の共有者の条件を示す共有条件情報を生成する条件情報生成部をさらに備え、
前記画像送信部は、前記共有条件情報を前記共有画像と共に送信する、前記（１）〜（３）のいずれか１項に記載の情報処理装置。
（５）前記ユーザの位置の情報を取得する位置情報取得部をさらに備え、
前記条件情報生成部は、前記ユーザの位置に基づいて前記共有条件情報を生成する、前記（４）に記載の情報処理装置。
（６）前記条件情報生成部は、前記ユーザの位置を含む地域との関連を前記共有者の条件として設定する、前記（５）に記載の情報処理装置。
（７）前記条件情報生成部は、前記ユーザの設定操作に基づいて前記共有条件情報を生成する、前記（４）〜（６）のいずれか１項に記載の情報処理装置。
（８）前記条件情報生成部は、ソーシャルネットワークサービスにおける前記ユーザとの友人関係を前記共有者の条件として設定する、前記（７）に記載の情報処理装置。
（９）前記ユーザの位置の情報を取得する位置情報取得部をさらに備え、
前記画像送信部は、前記位置の情報を前記共有画像とともに送信する、前記（１）〜（８）のいずれか１項に記載の情報処理装置。
（１０）前記ユーザが前記撮像画像の記録の準備状態にあるか否かを判定する撮像準備状態判定部をさらに備え、
前記画像取得部は、さらに、前記撮像画像の記録の前後に取得されるスルー画像を取得し、
前記画像送信部は、前記ユーザが前記撮像画像の記録の準備状態にある場合に、前記スルー画像を前記共有画像として送信する、前記（１）〜（９）のいずれか１項に記載の情報処理装置。
（１１）前記共有画像の送信、または前記送信された共有画像の公開に対する前記ユーザの許可を取得する許可取得部をさらに備える、前記（１）〜（１０）のいずれか１項に記載の情報処理装置。
（１２）前記許可取得部は、前記送信された共有画像の共有者からの要求に応答して、前記ユーザの許可を取得する、前記（１１）に記載の情報処理装置。
（１３）前記許可取得部は、前記共有者からの前記共有画像のサイズ変更の要求に応答して、前記ユーザの許可を取得する、前記（１２）に記載の情報処理装置。
（１４）前記ユーザの位置の情報を取得する位置情報取得部をさらに備え、
前記許可取得部は、前記ユーザの位置が所定の条件を満たす場合に、前記ユーザの許可を取得する、前記（１１）〜（１３）のいずれか１項に記載の情報処理装置。
（１５）前記撮像された画像に付随する音声を取得する音声取得部と、
前記音声を共有音声として送信する音声送信部と、
前記共有画像および前記共有音声の送信、または前記送信された共有画像および共有音声の公開に対する前記ユーザの許可を、前記共有画像および前記共有音声のそれぞれについて独立して取得する許可取得部と
をさらに備える、前記（１）〜（１４）のいずれか１項に記載の情報処理装置。
（１６）前記ユーザは、該ユーザの視界画像を取得する撮像装置を用いて前記撮像を実行し、
前記指示情報受信部は、前記ユーザまたは前記ユーザの視界を移動させるための動作に関する指示情報を受信する、前記（１）〜（１５）のいずれか１項に記載の情報処理装置。
（１７）前記画像取得部は、前記ユーザを含まない前記撮像画像を取得する、前記（１）〜（１６）のいずれか１項に記載の情報処理装置。
（１８）撮像画像を取得することと、
前記撮像画像を共有画像として送信することと、
前記共有画像に対する応答として取得される、撮像を実行するユーザの動作に関する指示情報を受信することと、
前記指示情報を前記ユーザに対して出力することと
を含む情報処理方法。
（１９）撮像画像を取得する機能と、
前記撮像画像を共有画像として送信する機能と、
前記共有画像に対する応答として取得される、撮像を実行するユーザの動作に関する指示情報を受信する機能と、
前記指示情報を前記ユーザに対して出力する機能と
をコンピュータに実現させるためのプログラム。
【符号の説明】
【０１３９】
１０    システム
１００    コンテンツ提供端末
１１０    撮像部
１２１    画像取得部
１２２    画像送信部
１２３    指示情報受信部
１２４    指示情報出力部
１２５    位置情報取得部
１２６    条件情報生成部
１２７    撮像準備状態判定部
１２８    許可取得部
１２９    音声取得部
１２１０    音声送信部
１３０    通信部
１４０    出力部
１５０    操作部
１６０    マイクロフォン
２００    サーバ
３００    コンテンツ参照端末
４００    ネットワーク
【図１】
2014021031.tif 000003
【図２】
2014021031.tif 000004
【図３】
2014021031.tif 000005
【図４】
2014021031.tif 000006
【図５】
2014021031.tif 000007
【図６】
2014021031.tif 000008
【図７】
2014021031.tif 000009
【図８】
2014021031.tif 000010
【図９】
2014021031.tif 000011
【図１０】
2014021031.tif 000012
【図１１】
2014021031.tif 000013
【図１２】
2014021031.tif 000014
【図１３】
2014021031.tif 000015
【図１４】
2014021031.tif 000016
【図１５】
2014021031.tif 000017
【図１６】
2014021031.tif 000018
【図１７】
2014021031.tif 000019
【図１８】
2014021031.tif 000020
【図１９】
2014021031.tif 000021
【図２０】
2014021031.tif 000022
【図２１】
2014021031.tif 000023
【図２２】
2014021031.tif 000024
【図２３】
2014021031.tif 000025
【図２４】
2014021031.tif 000026
【図２５】
2014021031.tif 000027
【図２６】
2014021031.tif 000028
【国際調査報告】
2014021031.tif 000029
2014021031.tif 000030
2014021031.tif 000031
2014021031.tif 000032